(57)【要約】      （修正有）【課題】ドローンを用いたドローンレースを行うドローンレースシステムを提供する。【解決手段】ドローンレースシステムは、ドローンレースの観客が操作する観客端末との間で情報処理を行う観客端末処理部と、ドローンレースに参加するレーサーが操作するレーサー端末との間で情報処理を行うレーサー端末処理部と、ドローンレースのレース結果判定を行うレース判定部と、ドローンレースのレース結果に応じて得られる仮想通貨を用いることが可能なカジノシステムとの間で情報処理を行うカジノ処理部と、を備える。【選択図】図２
2020071652.tif 000002
【特許請求の範囲】
【請求項１】
ドローンを用いたドローンレースを行うドローンレースシステムであって、
前記ドローンレースの観客が操作する観客端末との間で情報処理を行う観客端末処理部と、
前記ドローンレースに参加するレーサーが操作するレーサー端末との間で情報処理を行うレーサー端末処理部と、
前記ドローンレースのレース結果判定を行うレース判定部と、
前記ドローンレースのレース結果に応じて得られる仮想通貨を用いることが可能なカジノシステムとの間で情報処理を行うカジノ処理部と、
を備えることを特徴とするドローンレースシステム。
【請求項２】
前記ドローンレースのレース結果に応じて得られる仮想通貨を用いることが可能なレーサー育成システムとの間で情報処理を行うレーサー育成処理部を備える、請求項１に記載のドローンレースシステム。
【請求項３】
前記ドローンレースのレース結果に応じて得られる仮想通貨を用いることが可能なドローン保険システムとの間で情報処理を行うドローン保険処理部を備える、請求項１に記載のドローンレースシステム。
【請求項４】
前記ドローンレースのレース結果に応じて得られる仮想通貨を用いることが可能な社会貢献システムとの間で情報処理を行う社会貢献処理部を備える、請求項１に記載のドローンレースシステム。
【発明の詳細な説明】
【技術分野】
【０００１】
本発明は、ドローンを用いてレースを行うドローンレースシステムに関する。
【背景技術】
【０００２】
近年、様々なかたちでドローンを利用することが提案されいている。例えば、農薬の散布や、商品の配送、災害時や事故時の人名救助などへの利用が期待されている（例えば特許文献１〜３参照）。
【先行技術文献】
【特許文献】
【０００３】
【特許文献１】特開２０１８−１１１４２９号公報
【特許文献２】特開２０１６−１５３３３７号公報
【特許文献３】特開２０１７−２１００７８号公報
【発明の概要】
【発明が解決しようとする課題】
【０００４】
しかしながら、ドローンの利用方法には、まだ多くの可能性が残されている。
【０００５】
本発明は、上記の課題に鑑みてなされたもので、これまでにない新しいかたちでドローンを利用するシステムを提案することを目的とする。具体的には、ドローンを用いてレースを行うドローンレースシステムを提案する。
【課題を解決するための手段】
【０００６】
本発明のドローンレースシステムは、ドローンを用いたドローンレースを行うドローンレースシステムであって、前記ドローンレースの観客が操作する観客端末との間で情報処理を行う観客端末処理部と、前記ドローンレースに参加するレーサーが操作するレーサー端末との間で情報処理を行うレーサー端末処理部と、前記ドローンレースのレース結果判定を行うレース判定部と、前記ドローンレースのレース結果に応じて得られる仮想通貨を用いることが可能なカジノシステムとの間で情報処理を行うカジノ処理部と、を備えている。
【発明の効果】
【０００７】
本発明によれば、これまでにない新しいかたちでドローンを利用することができる。
【図面の簡単な説明】
【０００８】
【図１】本発明の実施の形態におけるシステム全体の概略説明図である。
【図２】本発明の実施の形態におけるドローンレースシステムのブロック図である。
【図３】本発明の実施の形態のドローンレースシステムにおける観客端末の動作のフロー図である。
【図４】本発明の実施の形態のドローンレースシステムにおけるレーサー端末の動作のフロー図である。
【図５】本発明のコンセプトの説明図である。
【図６】レース開催・観戦イメージの説明図である。
【図７】レース方式の説明図である。
【図８】通常のドローンレースとの違いの説明図である。
【図９】本発明によって可能となることの説明図である。
【図１０】イベントタイプの説明図である。
【図１１】本発明の構想（初期）の説明図である。
【図１２】本発明の構想（展望）の説明図である。
【図１３】本発明のビジネスモデルの説明図である。
【図１４】ユーザ（観客）／レーサー数の増加サイクルとドローントークン（仮想通貨）の普及の説明図である。
【図１５】ドローンの種類と普及状況（現状および今後の予想）の説明図である。
【図１６】ロードマップの説明図である。
【図１７】市場規模の説明図である。
【図１８】ドローン保険の企画骨子の説明図である。
【図１９】ドローンに関する保険の現状（国内・法人向け）の説明図である。
【図２０】ドローンに関する保険の現状（国内・個人向け）の説明図である。
【図２１】本発明に必要とされる機能の説明図である。
【図２２】本発明に必要とされる機能の説明図である。
【図２３】ドローン位置測定方法（案１）の説明図である。
【図２４】ドローン位置測定方法（案２）の説明図である。
【図２５】ドローン位置測定方法（案３）の説明図である。
【図２６】ドローンレースに必要とされる機能の説明図である。
【図２７】クラッシュ時の判定機能の説明図である。
【図２８】クラッシュ時の判定機能の説明図である。
【発明を実施するための形態】
【０００９】
以下、本発明の実施の形態のドローンレースシステムについて、図面を用いて説明する。本実施の形態では、ドローンを用いてレースを行うドローンレースシステムの場合を例示する。
【００１０】
本発明の実施の形態のドローンレースシステムを、図面を参照して説明する。ここでは、まず、本発明が適用されるシステム全体の構成を説明する。図１は、本発明が適用されるシステム全体の概略説明図である。
【００１１】
図１に示すように、ドローンレースシステムとカジノシステムによって、中央システムが構成されている。ドローンレースシステムは、後述するようにドローンレースを実現するための種々の機能を備えている。ドローンレースは、ＭＲ（Mixed Reality、複合現実）技術を利用することにより、世界各地で同時開催することができる（図５〜図２８参照）。また、カジノシステムは、ドローンレースの結果を利用したカジノ（オンラインカジノを含む）を実現するための種々の機能を備えている。
【００１２】
中央システムには、ドローンレースの顧客（ユーザ）によって操作される顧客端末と、ドローンレースのレーサーによって操作されるレーサー端末が接続される。顧客端末とレーサー端末は、専用の仮想通貨（例えば「ドローントークン」などと呼ぶこともできる）を管理するＷｅｂウォレットと連携することができる。Ｗｅｂウォレットは、仮想通貨取引システムと接続される。仮想通貨取引システムは、仮想通貨の取引を行うための種々の機能を備えている。
【００１３】
また、中央システムには、レーサーを育成するためのレーサー育成システムと、ドローン保険を管理するドローン保険システムと、社会貢献を行うための社会貢献システムに接続されている。ドローンレースで獲得した仮想通貨は、これらのレーサー育成システム、レース会場システム、ドローン保険システム、社会貢献システムで利用することができる。
【００１４】
例えば、レーサー育成システムでは、仮想通貨を用いて、ドローンの機体や部品を購入したり、ドローンの練習場の利用料金を支払うことができる。その場合、レーサー育成システムは、そのレーサーの飛行履歴に基づいて、機体や部品の購入費用や練習場の利用料金を参照して、割引きする処理を行ってもよい。また、レーサー育成システムは、そのレーサーの獲得賞金（例えば、これまでの獲得賞金の合計）に基づいて、プロレーサーの認定処理を行ってもよい。
【００１５】
ドローン保険システムでは、仮想通貨を用いて、ドローン保険に加入することができる。その場合、ドローン保険システムは、そのレーサーの飛行距離（例えば、これまでドローンを何キロ飛行させたか）や事故歴（例えば、これまでドローンで何回事故を起こしたか）などに基づいて、そのレーサーの保険料を算定してもよい。
【００１６】
社会貢献システムでは、仮想通貨を用いて、様々な社会貢献活動を行うことができる。例えば、社会貢献システムは、指定された慈善団体や自然保護団体などに対して、仮想通貨によって寄付を行うことができる。
【００１７】
また、中央システムには、遠隔の店舗や施設に設置された端末（例えば、ゲームセンターに設置されたゲームセンター端末や、ネットカフェに設置されたネットカフェ端末など）が接続されてもよい。観客は、ゲームセンター端末やネットカフェ端末を用いて、ドローンレースを観戦したり、レース結果にベットすることができる。また、レーサーは、ゲームセンター端末やネットカフェ端末を用いて、ドローンレースに参加することができる。
【００１８】
次に、ドローンレースシステムの構成について説明する。図２は、ドローンレースシステムのブロック図である。
【００１９】
図２に示すように、ドローンレースシステムは、観客端末との間で各種の情報処理を行う観客端末処理部と、レーサー端末との間で各種の情報処理を行うレーサー端末処理部を備えている。また、ドローンレースシステムは、ドローンレースのレース結果判定を行うレース判定部と、カジノシステムとの間で各種の情報処理を行うカジノ処理部を備えている。さらに、ドローンレースシステムは、レーサーに関する様々な情報（飛行履歴、飛行距離、事故歴、獲得賞金など）を記憶するレーサー情報記憶部を備えている。
【００２０】
また、ドローンレースシステムは、レーサー育成システムとの間で各種の情報処理を行うレーサー育成処理部と、ドローン保険システムとの間で各種の情報処理を行うドローン保険処理部と、社会貢献システムとの間で各種の情報処理を行う社会貢献処理部を備えている。
【００２１】
以上のように構成されたドローンレースシステムについて、図面を参照してその動作を説明する。
【００２２】
図３は、本実施の形態のドローンレースシステムにおける観客端末の動作を示すフロー図である。図３に示すように、観客がドローンレースの結果にベットをする場合には、まず、観客端末を用いてドローンレースの専用サイトにアクセスし、その表示画面上で「ベットする」を選択する。次に、その観客のＷｅｂウォレットのＩＤを連携させる。これにより、その専用サイト上で仮想通貨のベットができるようになる。
【００２３】
その後、観客はレース結果を予想して、予想したレース結果にベットをする。観客は、ドローンレースが始まると、観客端末でドローンレースを観戦する。そして、レース結果に応じて仮想通貨の払い戻しを受け取る。払い戻された仮想通貨は、Ｗｅｂウォレットに入金される。
【００２４】
図４は、本実施の形態のドローンレースシステムにおけるレーサー端末の動作を示すフロー図である。図４に示すように、レーサーがドローンレースに参加する場合には、レーサー端末を用いてドローンを操作してレースを行う。そして、レーサーは、レース結果に応じて賞金を獲得することができる。
【００２５】
なお、ドローンレースは、ドローンの実機を飛行させて行ってもよく、仮想ドローンを飛行させてもよい。ただし、ドローンレースには、必ず実機のドローンが参加する。したがって、仮想ドローンを飛行させる場合でも、そのレース（オンラインのレース）で対戦する相手は実機のドローンである。なお、レーサーは、必ずしも人間でなくてもよく、ＡＩを利用したレーサー（ＡＩレーサー）であってもよい。
【００２６】
このような本発明の実施の形態のドローンレースシステムによれば、これまでにない新しいかたちでドローンを利用することができる。
【００２７】
以上、本発明の実施の形態を例示により説明したが、本発明の範囲はこれらに限定されるものではなく、請求項に記載された範囲内において目的に応じて変更・変形することが可能である。
【産業上の利用可能性】
【００２８】
以上のように、本発明にかかるドローンレースシステムは、これまでにない新しいかたちでドローンを利用することができるという効果を有し、有用である。
【図１】
2020071652.tif 000003
【図２】
2020071652.tif 000004
【図３】
2020071652.tif 000005
【図４】
2020071652.tif 000006
【図５】
2020071652.tif 000007
【図６】
2020071652.tif 000008
【図７】
2020071652.tif 000009
【図８】
2020071652.tif 000010
【図９】
2020071652.tif 000011
【図１０】
2020071652.tif 000012
【図１１】
2020071652.tif 000013
【図１２】
2020071652.tif 000014
【図１３】
2020071652.tif 000015
【図１４】
2020071652.tif 000016
【図１５】
2020071652.tif 000017
【図１６】
2020071652.tif 000018
【図１７】
2020071652.tif 000019
【図１８】
2020071652.tif 000020
【図１９】
2020071652.tif 000021
【図２０】
2020071652.tif 000022
【図２１】
2020071652.tif 000023
【図２２】
2020071652.tif 000024
【図２３】
2020071652.tif 000025
【図２４】
2020071652.tif 000026
【図２５】
2020071652.tif 000027
【図２６】
2020071652.tif 000028
【図２７】
2020071652.tif 000029
【図２８】
2020071652.tif 000030